(57)【要約】【課題】  ＰＣに接続することなく、記憶容量が大きく単位記憶容量当たりの価格の低い汎用の記憶装置にスキャン画像を保存できる画像読取装置を提供する。【解決手段】  原稿を読み取ることによりＲＡＷデータを生成する生成手段と、前記ＲＡＷデータに基づいて前記原稿を表す画像データを形成する画像形成手段と、複数種類のディスク記憶装置を接続可能なインタフェース部と、前記インタフェース部に接続されている前記ディスク記憶装置を識別する識別手段と、前記識別手段により識別された前記ディスク記憶装置の種類に応じて前記ディスク記憶装置を制御することにより、前記画像データを前記インタフェース部に接続されている前記ディスク記憶装置に保存させる保存手段と、を備える。【選択図】    図１
2006166082.tif 000002
【特許請求の範囲】
【請求項１】
原稿を読み取ることによりＲＡＷデータを生成する生成手段と、
前記ＲＡＷデータに基づいて前記原稿を表す画像データを形成する画像形成手段と、
複数種類のディスク記憶装置を接続可能なインタフェース部と、
前記インタフェース部に接続されている前記ディスク記憶装置を識別する識別手段と、
前記識別手段により識別された前記ディスク記憶装置の種類に応じて前記ディスク記憶装置を制御することにより、前記画像データを前記インタフェース部に接続されている前記ディスク記憶装置に保存させる保存手段と、
を備えることを特徴とする画像読取装置。
【請求項２】
前記保存手段は、前記画像データに前記画像データの属性情報を添付して前記画像データを前記ディスク記憶装置に保存させることを特徴とする請求項１に記載の画像読取装置。
【請求項３】
前記画像データに基づいて前記画像データの濃淡ヒストグラムを生成する属性情報生成手段をさらに備え、
前記属性情報は、前記濃淡ヒストグラムであることを特徴とする請求項２に記載の画像読取装置。
【請求項４】
リムーバブルメモリを接続可能な第二インタフェース部と、
前記第二インタフェース部に接続されている前記リムーバブルメモリに前記画像データを保存する第二保存手段と、
前記画像データの保存場所を選択する選択操作を受け付ける選択受付手段と、
選択された前記保存場所に応じて前記保存手段又は前記第二保存手段を制御することにより、前記ディスク記憶装置又は前記リムーバブルメモリに前記画像データを保存させる保存制御手段と、
をさらに備えることを特徴とする請求項１から３のいずれか一項に記載の画像読取装置。
【請求項５】
原稿を読み取ることによりＲＡＷデータを生成する生成段階と、
前記ＲＡＷデータに基づいて前記原稿を表す画像データを形成する画像形成段階と、
複数種類のディスク記憶装置が接続可能なインタフェース部に接続されている前記ディスク記憶装置を識別する識別段階と、
前記識別段階において識別された前記ディスク記憶装置の種類に応じて前記ディスク記憶装置を制御することにより、前記画像データを前記インタフェース部に接続されている前記ディスク記憶装置に保存させる保存段階と、
を含むことを特徴とする画像読取方法。
【請求項６】
画像読取装置を、
原稿を読み取ることによりＲＡＷデータを生成する生成手段と、
前記ＲＡＷデータに基づいて前記原稿を表す画像データを形成する画像形成手段と、
複数種類のディスク記憶装置が接続可能なインタフェース部に接続されている前記ディスク記憶装置を識別する識別手段と、
前記識別手段により識別された前記ディスク記憶装置の種類に応じて前記ディスク記憶装置を制御することにより、前記画像データを前記インタフェース部に接続されている前記ディスク記憶装置に保存させる保存手段と、
して機能させることを特徴とする画像読取プログラム。
【発明の詳細な説明】
【技術分野】
【０００１】
本発明は画像読取装置、画像読取方法及び画像読取プログラムに関する。
【背景技術】
【０００２】
従来、読み取ったデータ（以下、スキャンデータという。）をＰＣ（Personal Computer）に出力するスキャナが知られている。このようなスキャナを用いた画像読取システムにおいて原稿を表す画像データ（以下、スキャン画像という。）をＨＤＤ（Hard Disk Drive）等のディスク記憶装置に保存するためには、スキャナとＰＣとを連動させる必要がある。すなわち、スキャナでスキャンデータを生成し、ＰＣでスキャンデータからスキャン画像を形成し、ＰＣの制御下でＰＣに接続されているＨＤＤ等にスキャン画像を保存させる必要がある。
一方、カード型フラッシュメモリを接続するためのインタフェースを備えるスキャナがある。このようなスキャナでは、ＰＣに接続することなくカード型フラッシュメモリにスキャン画像を保存できるため、スキャン画像を他のシステムで容易に利用することができる。しかしながら、一般にカード型フラッシュメモリの記憶容量は、ＨＤＤ等の記憶容量と比較して少なく、単位記憶容量当たりの価値はＨＤＤ等のディスク記憶装置と比較して高い。
したがって、ＰＣに接続することなく、記憶容量が大きく単位記憶容量当たりの価格の安い記憶装置にスキャン画像を保存できるスキャナが望まれている。
【発明の開示】
【発明が解決しようとする課題】
【０００３】
本発明は、上記の問題に鑑みてなされたものであって、ＰＣに接続することなく、記憶容量が大きく単位記憶容量当たりの価格の低い汎用の記憶装置にスキャン画像を保存できる画像読取装置を提供することを目的とする。
【課題を解決するための手段】
【０００４】
上記目的を達成するための画像読取装置は、原稿を読み取ることによりＲＡＷデータを生成する生成手段と、前記ＲＡＷデータに基づいて前記原稿を表す画像データを形成する画像形成手段と、複数種類のディスク記憶装置を接続可能なインタフェース部と、前記インタフェース部に接続されている前記ディスク記憶装置を識別する識別手段と、前記識別手段により識別された前記ディスク記憶装置の種類に応じて前記ディスク記憶装置を制御することにより、前記画像データを前記インタフェース部に接続されている前記ディスク記憶装置に保存させる保存手段と、を備える。
【０００５】
一般にディスク記憶装置の記憶容量は、カード型フラッシュメモリの記憶容量と比較して大きく、単位記憶容量当たりの価格は低い。本発明による画像読取装置では、画像形成手段がＲＡＷデータに基づいて原稿を表す画像データを形成し、保存手段が画像データをインタフェース部に接続されているディスク記憶装置に保存させる。したがってユーザは、ＰＣに画像読取装置を接続することなく、記憶容量が大きく単位記憶容量当たりの価格の低いディスク記憶装置に画像データを保存できる。
また本発明によると、識別手段は、インタフェース部に接続可能な複数種類のディスク記憶装置からインタフェース部に接続されているディスク記憶装置を識別し、保存手段は、インタフェース部に接続されているディスク記憶装置に保存させる。したがってユーザは、汎用のディスク記憶装置に画像データを保存できる。ここでディスク記憶装置とは、磁気ディスク記憶装置、光ディスク記憶装置および光磁気ディスク記憶装置を含む概念である。
【０００６】
前記保存手段は、前記画像データに前記画像データの属性情報を添付して前記画像データを前記ディスク記憶装置に保存させてもよい。
本発明によると、保存手段が画像データに属性情報を添付して画像データをディスク記憶装置に保存させるため、保存された画像データ（以下、保存後の画像データという。）に画像処理を施す場合や、保存後の画像データを印刷する場合や、保存後の画像データを画面表示する場合などに、画像データに添付された属性情報を利用することが可能である。ここで属性情報とは、濃淡ヒストグラムなどの画像データに基づいて生成可能な情報と、ガンマ値などの原稿の読み取りに係る画像読取装置の特性を示す情報と、明るさ調整の設定値などの画像データに施された画像処理を示す情報とを含む概念である。例えば保存後の画像データの明るさを調整する画像処理において保存後の画像データに添付されている濃淡ヒストグラムを利用すれば、保存後の画像データから濃淡ヒストグラムを生成する必要がないため、画像処理を高速化できる。また保存後の画像データを印刷する処理において保存後の画像データに添付されているガンマ値を利用すれば、そのガンマ値に応じた最適な画像処理条件を印刷時又は表示時に設定できるため、保存後の画像データを最適に印刷又は表示できる。さらに保存後の画像データに対する自動補正処理において明るさ調整の設定値を利用すれば、保存前にその画像データに施した明るさ調整を認識できるため、例えば明るさをあえて暗く調整した画像データには画質を明るく調整する補正を施さないようにできる。
【０００７】
前記画像読取装置は、前記画像データに基づいて前記画像データの濃淡ヒストグラムを生成する属性情報生成手段をさらに備えてもよい。そして前記属性情報は、前記濃淡ヒストグラムでもよい。
【０００８】
前記画像読取装置は、リムーバブルメモリを接続可能な第二インタフェース部と、前記第二インタフェース部に接続されている前記リムーバブルメモリに前記画像データを保存する第二保存手段と、前記画像データの保存場所を選択する選択操作を受け付ける選択受付手段と、選択された前記保存場所に応じて前記保存手段又は前記第二保存手段を制御することにより、前記ディスク記憶装置又は前記リムーバブルメモリに前記画像データを保存させる保存制御手段と、をさらに備えてもよい。
本発明によると、選択受付手段が画像データの保存場所を選択する選択操作を受け付け、保存制御手段がその選択結果に応じてディスク記憶装置又はリムーバブルメモリに画像データを保存させる。したがってユーザは、ディスク記憶装置又はリムーバブルメモリに選択的に画像データを保存できる。
【０００９】
上記目的を達成するための画像読取方法は、原稿を読み取ることによりＲＡＷデータを生成する生成段階と、前記ＲＡＷデータに基づいて前記原稿を表す画像データを形成する画像形成段階と、複数種類のディスク記憶装置が接続可能なインタフェース部に接続されている前記ディスク記憶装置を識別する識別段階と、前記識別段階において識別された前記ディスク記憶装置の種類に応じて前記ディスク記憶装置を制御することにより、前記画像データを前記インタフェース部に接続されている前記ディスク記憶装置に保存させる保存段階と、を含む。
【００１０】
上記目的を達成するための画像読取プログラムは、画像読取装置を原稿を読み取ることによりＲＡＷデータを生成する生成手段と、前記ＲＡＷデータに基づいて前記原稿を表す画像データを形成する画像形成手段と、複数種類のディスク記憶装置が接続可能なインタフェース部に接続されている前記ディスク記憶装置を識別する識別手段と、前記識別手段により識別された前記ディスク記憶装置の種類に応じて前記ディスク記憶装置を制御することにより、前記画像データを前記インタフェース部に接続されている前記ディスク記憶装置に保存させる保存手段と、して機能させる。
【００１１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、請求項に記載された方法の各動作の順序は、技術上の阻害要因がない限り、記載順に限定されるものではなく、どのような順番で実行されてもよく、また同時に実行されてもよい。
【発明を実施するための最良の形態】
【００１２】
以下、本発明を実施するための最良の形態を実施例に基づいて説明する。図２は本発明の画像読取装置の一実施例としてのスキャナ１の外観を示す斜視図である。図３はスキャナ１の内部構造を示す模式図である。図４はスキャナ１を示すブロック図である。
スキャナ１は図示しないＰＣから独立して作動可能な原稿搬送型の画像読取装置である。スキャナ１はＵＳＢ（Universal Serial Bus）インタフェースを備え、原稿を読み取って生成したスキャン画像をＵＳＢインタフェースに接続されているＨＤＤ等のディスク記憶装置に保存可能である。尚、画像読取装置は、フラットベッド型のスキャナ、複合機、画像読み取り機能を備えるＦＡＸ等でもよい。
【００１３】
原稿ホルダ１０２は、３５ｍｍストリップフィルム、３５ｍｍマウントフィルム、ブローニ、４×５インチ等の各種形式のフィルムや紙焼き写真等の原稿１０４を保持する。原稿ホルダ１０２は筐体１０６に形成されたスロット１０８から筐体１０６の内部に挿入される。図３に示すように筐体１０６の内部では、原稿ホルダ１０２は複数のローラ１１０によってＡＢ方向に往復移動自在に支持されている。モータ１１２は図示しないギア等の動力伝達装置を介してローラ１１０を駆動し原稿ホルダ１０２を往復移動させる。尚、スキャナ１が読み取り可能な原稿１０４は、透過原稿としての各種フィルムや反射原稿としての紙焼き写真等であると説明したが、反射原稿または透過原稿のいずれか一方でもよい。
【００１４】
第一光源１１４、第二光源１１６、第三光源１１８は、それぞれ原稿１０４が反射原稿、ポジフィルム、ネガフィルムである場合に使用される白色冷陰極蛍光ランプ等の照明手段である。第一光源１１４と第二光源１１６と第三光源１１８は、原稿ホルダ１０２によって所定位置に保持された原稿１０４を照明する。３つの光源を原稿種別によって使い分けることにより、原稿色の再現性を向上させることができる。ミラー１２０及びレンズ１２２は、第一光源１１４に照明された原稿１０４の反射光と、第二光源１１６又は第三光源１１８に照明された原稿１０４の透過光とを、イメージセンサ１２４の受光面に入射させる。
【００１５】
イメージセンサ１２４は、フォトダイオード等で構成される図示しないセルが直線的に多数配列された所謂リニアイメージセンサである。イメージセンサ１２４の各セルには受光量に応じた電荷が光電変換により蓄積される。イメージセンサ１２４は、レンズ縮小型でもよいし、密着型でもよいし、ＣＣＤイメージセンサでもよいし、ＣＭＯＳイメージセンサでもよい。
図４に示すＡＦＥ（Analog Front End）１２６は、イメージセンサ１２４から出力された電気信号に対してＣＤＳ（Correlated Double Sampling）処理、画像の黒レベルを再現するためのオプティカル・ブラック・クランプ制御、画像の電気信号のゲイン調整による電気信号のレベル調整処理、量子化処理等を行ってＲＡＷデータを生成する。以上説明した第一光源１１４と第二光源１１６と第三光源１１８とミラー１２０とレンズ１２２とイメージセンサ１２４とＡＦＥ１２６とが請求項に記載の「生成手段」に相当する。
【００１６】
画像処理部１２８は、ＡＦＥ部１２６から出力されたＲＡＷデータに対してシェーディング補正、ガンマ補正、拡大縮小等の処理を行って、画像データとしてのスキャン画像を形成する。このとき画像処理部１２８は、請求項に記載の「画像形成手段」として機能する。また画像処理部１２８は、スキャン画像に対して明るさ調整、コントラスト調整、カラーバランス調整、色空間変換、データ圧縮、退色復元処理、ノイズ除去処理等の画像処理を施す。具体的には画像処理部１２８は、制御部１３０と協働して上述の画像処理に係る信号処理を行うＤＳＰ（Digital Signal Processor）である。
制御部１３０は、図示しないＣＰＵとＲＯＭとＲＡＭとを備える。制御部１３０は、ＲＯＭに記憶されている制御プログラムをＲＡＭにロードしてＣＰＵで実行することによって、スキャナ１の全体を制御する。ＲＯＭに記憶されている制御プログラムは、請求項に記載の「画像読取プログラム」に相当する。この制御プログラムは、所定のサーバからネットワークを介してダウンロードしてもよいし、コンピュータ読み取り可能な記憶媒体から読み込んでもよい。
【００１７】
インタフェース部としてのＵＳＢインタフェース１３２は、図示しないＵＳＢホストコントローラとＵＳＢコネクタ１３２０とを備える（図２参照）。ＵＳＢコネクタ１３２０には、ディスク記憶装置４が脱着自在に接続される。ＵＳＢインタフェース１３２は、制御部１３０と協働してスキャン画像をディスク記憶装置４に保存させる。ここでディスク記憶装置４は、ＨＤＤ、ＦＤＤ（Flexible Disk Drive）、ＺＩＰドライブ等の磁気ディスク記憶装置、ＣＤ−Ｒ、ＤＶＤ−ＲＡＭ等の光ディスク記憶装置、ＭＯ（Magneto-Optical disk）ドライブ等の光磁気ディスク記憶装置のいずれでもよい。したがってユーザは、ＰＣにスキャナ１を接続することなく、記憶容量が大きく単位記憶容量当たりの価格の低い汎用のディスク記憶装置４にスキャン画像を保存可能である。尚、ディスク記憶装置４が接続するインタフェースは、複数種類のディスク記憶装置４を接続可能であればよく、ＵＳＢインタフェースに限定されない。例えばスキャナ１は、インタフェース部としてのＩＥＥＥ１３９４インタフェースを備えてもよい。
【００１８】
第二インタフェース部としてのカードインタフェース１３３は、図示しないメモリコントローラとカードスロット１３４０とを備える（図２参照）。カードスロット１３４０には、リムーバブルメモリ３が脱着自在に接続される。カードインタフェース１３３は、制御部１３０と協働してスキャン画像をリムーバブルメモリ３に格納させる。したがってユーザは、ＰＣにスキャナ１を接続することなく、リムーバブルメモリ３にスキャン画像を保存可能である。
入出力インタフェース１３４は、制御部１３０と協働してプリンタ２、図示しないＰＣ等の外部機器と通信する。これによりスキャナ１は、スキャン画像をプリンタ２に印刷させたり、ＰＣの制御下でスキャン画像をＰＣに出力したりすることも可能である。
【００１９】
操作部１３６は、ユーザがスキャナ１を操作するための各種のキーを備えている。操作部１３６は、ほとんど全ての操作を十字キー１３６０とＯＫキー１３６２とキャンセルキー１３６４によるメニュー操作で受け付ける（図２参照）。例えばフォトプリントモード選択キー１３６６が押下されると、スキャナ１はスキャン画像をプリンタ２に印刷させるフォトプリントモードで作動する。プロフェッショナルラボモード選択キー１３６８が押下されると、スキャナ１はプロフェッショナルラボモードで作動する。プロフェッショナルラボモードで作動するスキャナ１は、読み取り範囲を任意に設定してスキャン画像を生成したりスキャン画像を画質調整したりしてから、スキャン画像をプリンタ２に印刷させたり、スキャン画像をディスク記憶装置４などに保存させたりする。スキャン・メモリモード選択キー１３６９が押下されると、スキャナ１はスキャン画像をディスク記憶装置４などに保存するスキャン・メモリモードで作動する。表示部１３８は、ユーザがスキャナ１を操作するためのメニューを表示する画面１３８０を備えている。画面１３８０はＬＣＤ等で構成される。以上説明した操作部１３６及び表示部１３８は請求項に記載の「選択受付手段」として機能する。
【００２０】
図５は、スキャナ１の制御プログラムの論理的な構成を示すブロック図である。生成手段としての生成モジュール１４０は、第一光源１１４と第二光源１１６と第三光源１１８とモータ１１２とイメージセンサ１２４とＡＦＥ１２６とを制御することにより、原稿ホルダ１０２に保持された原稿１０４を読み取ってＲＡＷデータを生成する。
画像形成手段としての画像形成モジュール１４２は、画像処理部１２８を制御することにより、ＲＡＷデータからスキャン画像を形成する。
画像処理モジュール１４４は、画像処理部１２８を制御することにより、スキャン画像に対して所定の画像処理を施す。
【００２１】
属性情報生成手段としての属性情報生成モジュール１４６は、スキャン画像から属性情報を生成する。具体的には属性情報生成モジュール１４６は、スキャン画像の濃淡ヒストグラムを生成する。本実施例では、濃淡ヒストグラムのようにスキャン画像から生成可能な情報の他に、原稿の読み取りに係るスキャナ１の特性を示す情報およびスキャン画像に施した画像処理を示す情報も属性情報という。原稿の読み取りに係るスキャナ１の特性を示す情報とはスキャナ１のガンマ値など、スキャン画像に施した画像処理を示す情報とは明るさ調整の設定値などである。
【００２２】
ＧＵＩモジュール１５２は、メニュー及びステータスを表示部１３８の画面１３８０に表示させ、操作部１３６がユーザのキー操作に応じて出力する信号に応じて所定の処理を起動する。例えばＧＵＩモジュール１５２は、スキャン画像の保存場所を選択するためのメニュー（図７（Ａ）参照）を表示部１３８に表示させ、ユーザによるメニュー操作を受け付ける。このときＧＵＩモジュール１５２は、請求項に記載の「選択受付手段」として機能する。
識別手段としての識別モジュール１４７は、ＵＳＢインタフェース１３２を制御することにより、ＵＳＢインタフェース１３２に接続されているディスク記憶装置４を識別する。ここで「ディスク記憶装置４を識別する」とは、スキャナ１がディスク記憶装置４を制御可能なステータス、すなわちスキャナ１がスキャン画像をそのディスク記憶装置４に保存させることが可能なステータスに、識別手段がスキャナ１のステータスを遷移させることを意味する。
【００２３】
保存制御手段としての保存制御モジュール１４８は、ＧＵＩモジュール１５２により受け付けられた保存場所の選択結果に応じて第一保存モジュール１５０または第二保存モジュール１５１を制御することにより、ディスク記憶装置４またはリムーバブルメモリ３にスキャン画像を保存させる。
【００２４】
保存手段としての第一保存モジュール１５０は、保存制御モジュール１４８の制御下で、スキャン画像とそれに対応する属性情報とを格納する画像ファイルを生成し、ＵＳＢインタフェース１３２を制御することにより生成した画像ファイルをディスク記憶装置４に保存させる。上述のように「画像ファイルに属性情報をスキャン画像とともに格納する」ことが、請求項に記載の「画像データに画像データの属性情報を添付する」ことに相当する。尚、第一保存モジュール１５０は、画像ファイルと関連付けられた別ファイルに属性情報を格納し、画像ファイルとともにそのファイルをディスク記憶装置４に保存させてもよい。
第二保存手段としての第二保存モジュール１５１は、第一保存モジュール１５０と同様に画像ファイルを生成し、カードインタフェース１３３を制御することにより生成した画像ファイルをリムーバブルメモリ３に保存させる。以上、スキャナ１の構成を説明した。以下、スキャナ１の作動を説明する。
【００２５】
図１は、前述の制御プログラムによって作動するスキャナ１のスキャン・メモリモードでの作動を示すフローチャートである。図６および図７は、スキャン・メモリモードで作動するスキャナ１の画面遷移図である。
はじめにスキャナ１は、原稿種の設定を受け付ける（Ｓ１０）。具体的にはＧＵＩモジュール１５２は、原稿１０４が反射原稿、ネガフィルム、ポジフィルムのいずれであるかを選択するためのメニューを表示部１３８に表示させ、ユーザによる操作部１３６を用いた原稿種を設定するためのメニュー操作を受け付ける。より具体的には、ＧＵＩモジュール１５２は、「反射原稿」、「ネガフィルム」及び「ポジフィルム」を表示部１３８に表示（図６（Ａ）参照）させ、ユーザによる十字キー１３６０及びＯＫキー１３６２の操作を受け付ける。図６（Ａ）に示すメニュー画面は、太枠に囲まれた原稿種（例えばネガフィルム）が選択されていることを示している。ユーザは、十字キー１３６０の上下キーを操作することにより反射原稿、ネガフィルム、ポジフィルムのいずれか１つを選択でき、ＯＫキー１３６２を操作することにより現在選択されている原稿種を以降の処理で対象とする原稿の原稿種として設定できる。
【００２６】
次にスキャナ１は、Ｓ１０の処理で設定された原稿種に応じて第一光源１１４、第二光源１１６、第三光源１１８のいずれかを点灯した後、モータ１１２を回転させて原稿ホルダ１０２を移動させながら原稿１０４の全体を低解像度で読み取ることにより、プレスキャン画像を取得する（Ｓ１２）。具体的には、生成モジュール１４０が第一光源１１４、第二光源１１６、第三光源１１８のいずれかとモータ１１２とイメージセンサ１２４とＡＦＥ１２６とを制御し、画像形成モジュール１４２が画像処理部１２８を制御することにより、スキャナ１は原稿ホルダ１０２に保持された原稿１０４のプレスキャン画像を取得する。尚、３５ｍｍストリップフィルムが原稿ホルダ１０２に保持されているときは、画像処理モジュール１４４はフィルムの各コマに対応する複数のプレスキャン画像を取得する。
【００２７】
次にスキャナ１は、保存の対象とする画像（以下、保存対象画像という。）の選択を受け付ける（Ｓ１４）。具体的には、ＧＵＩモジュール１５２は、複数のプレスキャン画像Ｉを表示部１３８に表示（図６（Ｂ）参照）させ、ユーザによる十字キー１３６０及びＯＫキー１３６２の操作を受け付ける。図６（Ｂ）に示す画面は、画面１３８０の中央に表示されているプレスキャン画像Ｉに対応する画像が現在選択されていることを示している。ユーザは、十字キー１３６０の左右キーの操作により画面１３８０の中央に表示されるプレスキャン画像Ｉを順次変更し、ＯＫキー１３６２の操作により画面１３８０中央のプレスキャン画像Ｉに対応する画像を保存対象画像として選択できる。もちろん、複数のコマがない原稿種（例えば４×５インチ版、反射原稿）が設定されている場合、Ｓ１４の処理は実行不要である。
【００２８】
次にスキャナ１は、保存対象画像が記録されているコマを高解像度で読み取ることにより、スキャン画像を取得する（Ｓ１６）。具体的には生成モジュール１４０は、保存対象画像が記録されているコマをプレスキャン画像の読み取りよりも高い解像度で読み取ることにより、ＲＡＷデータを生成する。そして画像形成モジュール１４２は、そのＲＡＷデータからスキャン画像を形成する。
【００２９】
次にスキャナ１は、他の画像の選択、スキャン画像の保存、スキャン・メモリモードの終了の３つ処理のいずれかを選択するためのメニューを表示する（Ｓ１８）。具体的にはＧＵＩモジュール１５２は、「他の画像を選択する」、「この画像を保存する」及び「スキャン・メモリモードを終了する」を表示部１３８に表示（図６（Ｃ）参照）させる。ユーザは、このメニューで原稿種を設定する操作（Ｓ１０参照）と同様に所望の処理を選択できる。
次にスキャナ１は、他の画像の選択、スキャン画像の保存、スキャン・メモリモードの終了の３つ処理のうち、いずれの処理が選択されたかを判定して、選択された処理を起動する（Ｓ２０）。
【００３０】
尚、図６（Ｃ）に示す画面では、スキャン画像の印刷に対応する項目である「この画像を印刷する」とスキャン画像の画質調整に対応する項目である「画質を調整する」とがグレーアウト表示されている。これにより、このステータスではスキャン画像の印刷およびスキャン画像の画質調整が不能であることとともに、他のステータス（例えばプロフェッショナルラボモード）ではスキャン画像の印刷およびスキャン画像の画質調整が可能であることを、ユーザに認識させることができる。
【００３１】
スキャナ１は、Ｓ２０の処理においてスキャン画像の保存が選択されるとＳ２２からＳ２６の保存処理を実行し、その処理が終了するとＳ１８の処理に戻って次に実行する処理を受け付ける。一方、スキャナ１は、Ｓ２０の処理で他の画像の選択が選択されると、Ｓ１４の処理に戻って保存対象画像の選択を受け付け、Ｓ２０の処理でスキャン・メモリモードの終了が選択されると、このモードを終了する。以下、保存処理について詳細に説明する。
【００３２】
Ｓ２０の処理でスキャン画像の保存が選択されると、スキャナ１はスキャン画像の保存場所の設定を受け付ける（Ｓ２２）。本実施例では、スキャナ１は保存場所の設定の他に、スキャン画像を格納する画像ファイルのファイル形式、スキャン画像の圧縮率などの設定を受け付けるものとして説明する。具体的にはＧＵＩモジュール１５２は、スキャン画像の保存場所、画像ファイルのファイル形式およびスキャン画像の圧縮率を選択するためのメニュー（図７（Ａ）参照）を表示部１３８に表示させ、ユーザによる十字キー１３６０及びＯＫキー１３６２の操作を受け付ける。図７（Ａ）に示すメニュー画面は、太枠に囲まれた設定項目（例えば「保存場所」）が選択されていることを示し、その設定項目の右隣（以下、選択欄という。）に表示されている現在の設定値（例えば「ディスク記憶装置」）が変更可能であることを示している。ユーザは、十字キー１３６０の上下キーの操作により設定項目を移動（例えば、上キーを押すと「圧縮率」に移動）でき、十字キー１３６０の左右キーの操作により表示される設定値を変更（例えば、右キーを押すと「リムーバブルメモリ」に変更）でき、ＯＫキー１３６２の操作により現在選択欄に表示されている設定値を各設定項目の設定値として設定できる。
【００３３】
ここで、保存場所の設定において選択可能な保存場所は、スキャナ１が識別しているディスク記憶装置４またはスキャナ１に接続されているリムーバブルメモリ３である。したがって、ディスク記憶装置４を識別していないときは、スキャナ１は保存場所の選択欄に「ディスク記憶装置」を選択不能にグレーアウト表示する。これによりディスク記憶装置４が識別されていないことを、ユーザに認識させることができる。スキャナ１がディスク記憶装置４を識別する処理（以下、識別処理という。）の詳細は後述する。尚、ディスク記憶装置４を識別していないときは、スキャナ１は保存場所の選択欄に「ディスク記憶装置」をグレーアウト表示するとして説明したが、「ディスク記憶装置」を表示しなくてもよい。
【００３４】
次にスキャナ１は属性情報を生成する（Ｓ２４）。具体的には属性情報生成モジュール１４６は、スキャン画像の濃淡ヒストグラムを生成する。
次にスキャナ１は、スキャン画像と属性情報とを格納する画像ファイルをディスク記憶装置４またはリムーバブルメモリ３に保存させる（Ｓ２６）。具体的には保存制御モジュール１４８は、Ｓ２２の処理で選択されたファイル形式（例えば「ＪＰＥＧファイル」）および圧縮率（例えば「中（中画質）」）に応じて、スキャン画像を画像処理モジュール１４４に圧縮させる。そして保存制御モジュール１４８は、Ｓ２２の処理で選択された保存場所に応じて、圧縮後のスキャン画像と属性情報とを格納する画像ファイルを第一保存モジュール１５０又は第二保存モジュール１５１に生成させ、その画像ファイルをディスク記憶装置４またはリムーバブルメモリ３に保存させる。もちろん、ビットマップ画像などの非圧縮画像を格納するファイル形式が選択されているときは、スキャン画像を圧縮する処理は実行不要である。尚、ＧＵＩモジュール１５２は、画像ファイルを保存している旨を表示部１３８に表示させ（図７（Ｂ）参照）、この処理の終了後に画像ファイルの保存が完了した旨を表示部１３８に表示させてもよい（図７（Ｃ）参照）。これによりスキャナ１のステータスがスキャン画像の印刷中または印刷を終了して待機中であることを、ユーザに認識させることができる。
【００３５】
ここで属性情報は、Ｓ２４の処理で生成された濃淡ヒストグラム、スキャナ１のガンマ値、色空間の設定値のいずれか又はすべての情報である。したがって、例えばディスク記憶装置４またはリムーバブルメモリ３に保存されたスキャン画像（以下、保存後のスキャン画像という。）とともに画像ファイルに格納されている濃淡ヒストグラムを利用すれば、明るさ調整などの画像処理を施す際に、保存後のスキャン画像から濃淡ヒストグラムを生成する必要がない。そのためスキャナ１によれば、保存後の画像データに対する画像処理を高速化することができる。またスキャナ１のガンマ値や色空間の設定値を利用すれば、そのガンマ値に応じた最適な画像処理条件を印刷や画面表示前に設定できるため、保存後のスキャン画像を最適に印刷したり最適に画面表示したりすることができる。以上、スキャナ１のスキャン・メモリモードでの作動について説明した。以下、ディスク記憶装置４の識別処理について説明する。
【００３６】
図８は、ディスク記憶装置４の識別処理を示すフローチャートである。この識別処理はスキャナ１により定期的に起動される。尚、スキャナ１は、不定期に例えばユーザによるスキャナ１に対する操作に応じて識別処理を起動してもよい。
はじめに、スキャナ１は、ディスク記憶装置４がＵＳＢインタフェース１３２に接続されているか否かを判定する（Ｓ３０）。具体的には識別モジュール１４７は、ＵＳＢインタフェース１３２のＵＳＢコネクタ１３２０にディスク記憶装置４が接続されている否かについて、ＵＳＢインタフェース１３２に問い合せる。ＵＳＢインタフェース１３２は、ＵＳＢコネクタ１３２０の端子の信号レベルに基づいてディスク記憶装置４がＵＳＢコネクタ１３２０に接続されている否かを判定し、識別モジュール１４７の問い合せに応答する。ディスク記憶装置４がＵＳＢコネクタ１３２０に接続されていると判定したときは、Ｓ３２の処理に進む。一方、ディスク記憶装置４がＵＳＢコネクタ１３２０に接続されていないと判定したときは、スキャナ１は識別処理を終了する。
【００３７】
Ｓ３０の処理でディスク記憶装置４が接続されていると判定した場合、スキャナ１はＵＳＢインタフェース１３２に接続されているディスク記憶装置４の装置情報を取得する（Ｓ３２）。具体的には識別モジュール１４７は、ＵＳＢインタフェース１３２を制御してディスク記憶装置４に装置情報を問い合せる。そして識別モジュール１４７は、上述の問い合せに応じてディスク記憶装置４が送信した装置情報を受信する。これにより、スキャナ１はディスク記憶装置４から所望の装置情報を取得することができる。ここで装置情報とは、スキャナ１がディスク記憶装置４を制御するために必要な情報であり、例えばディスク記憶装置４の製造企業名を表すベンダーＩＤ、ディスク記憶装置４の型名を表すプロダクトＩＤ等の情報である。
【００３８】
次にスキャナ１は、装置情報に基づいてＵＳＢインタフェース１３２に接続されているディスク記憶装置４を制御するプログラムを起動する。具体的には識別モジュール１４７は、装置情報に基づいてＵＳＢインタフェース１３２に接続されているディスク記憶装置４を認識する。例えば識別モジュール１４７は、ベンダーＩＤとプロダクトＩＤとに基づいてディスク記憶装置４の製造企業名と型名とを認識する。そしてスキャナ１は、認識したディスク記憶装置４に対応するドライバを起動する。これにより、スキャナ１はディスク記憶装置４を制御可能となる。以上説明したように、スキャナ１は接続されたディスク記憶装置４を識別するため、スキャン画像を汎用のディスク記憶装置４に保存させることができる。
【００３９】
尚、上述の実施例では、属性情報として濃淡ヒストグラム、スキャナ１のガンマ値、色空間の設定値のいずれか又はすべてをスキャン画像とともに画像ファイルに格納するとして説明したが、属性情報は上述の情報に限定されない。例えば画質の調整を行うプロフェッショナルモードでは、第一保存モジュール１５０は上述の属性情報に加えて、明るさ調整、コントラスト調整、カラーバランス調整、退色復元機能の設定値、ノイズ除去機能の設定値などの画質調整に係る設定値を属性情報として画像ファイルに格納してもよい。このようにすれば、保存後のスキャン画像に対して最適な画像処理を施すことが可能である。具体的には、保存後のスキャン画像に対する自動補正処理において明るさ調整の設定値を利用すれば、保存前にそのスキャン画像に施した明るさ調整を認識できるため、例えば明るさをあえて暗く調整したスキャン画像には画質を明るく調整する補正を施さないようにできる。
また、上述の実施例では、スキャン画像とともに属性情報を画像ファイルに格納するとして説明したが、画像ファイルにはスキャン画像のみを格納し、属性情報を格納しなくてもよい。
【図面の簡単な説明】
【００４０】
【図１】本発明の一実施例によるスキャナの作動を示すフローチャート。
【図２】本発明の一実施例によるスキャナの外観を示す斜視図。
【図３】本発明の一実施例によるスキャナの内部構造を示す模式図。
【図４】本発明の一実施例によるスキャナを示すブロック図。
【図５】本発明の一実施例による制御プログラムを示すブロック図。
【図６】本発明の一実施例に係る画面遷移図。
【図７】本発明の一実施例に係る画面遷移図。
【図８】本発明の一実施例によるスキャナの作動を示すフローチャート。
【符号の説明】
【００４１】
１  スキャナ（画像読取装置）、４  ディスク記憶装置、１１４  第一光源（生成手段）、１１６  第二光源（生成手段）、１１８  第三光源（生成手段）、１２０  ミラー（生成手段）、１２２  レンズ（生成手段）、１２４  イメージセンサ（生成手段）、１２６  ＡＦＥ部（生成手段）、１２８  画像処理部（画像形成手段）、１３０  制御部（生成手段、画像形成手段、選択受付手段、識別手段、保存制御手段、第一保存手段、第二保存手段）、１３２  ＵＳＢインタフェース（インタフェース部）、１３３  カードインタフェース、１３６  操作部（選択受付手段）、１３８  表示部（選択受付手段）、１４０  生成モジュール（生成手段）、１４２  画像形成モジュール（画像形成手段）、１４６  属性情報生成モジュール（属性情報生成手段）、１４７  識別モジュール（識別手段）、１４８  保存制御モジュール（保存制御手段）、１５０  第一保存モジュール（第一保存手段）、１５１  第二保存モジュール（第二保存手段）、１５２  ＧＵＩモジュール（選択受付手段）
【図１】
2006166082.tif 000003
【図２】
2006166082.tif 000004
【図３】
2006166082.tif 000005
【図４】
2006166082.tif 000006
【図５】
2006166082.tif 000007
【図６】
2006166082.tif 000008
【図７】
2006166082.tif 000009
【図８】
2006166082.tif 000010